(57)【要約】      （修正有）【課題】従来の製氷皿で氷を作ろうとすると、冷凍庫内に製氷皿を置く水平な平面が必要であり、水平な庫内底部に置くと、水と接しないように製氷皿の上部には何も収納できなかった。製氷皿に蓋を使用して上部に他の冷凍物を収納すると、一番下の製氷皿の取り出しに手間と時間がかかった。本発明は、冷凍庫内のスペースを無駄にせずに立てて製氷出来る製氷容器を提供する。【解決手段】本体容器１はシリコーン材で形成し、上部を開口して下部を塞ぎ、上部より下部を狭くし、内部側壁に階段状の段差を設け、中仕きり部材を固定する縦溝を設け、底部には仲仕きり部材の先端を差し込む凹穴を設ける。本体容器に挿入する、シリコーン材で形成された中仕きり部材には、本体内部の階段状段差と重なる横仕切り板１５を設け、本体容器内部の立て溝に挿入する縦板９を設け、本体容器底部の凹穴に差し込む突部１２を設ける。【選択図】図４
2016118369.tif 000002
【特許請求の範囲】
【請求項１】
シリコーン材で形成した本体容器は上部に開口部を設けて下部を塞ぎ、上部より下部を狭くし、内部側壁に階段状の複数の段差を設け、中仕切り部材を固定する縦溝を設け、底部には中仕切り部材の先端を差し込む凹穴を設け、本体容器に挿入する中仕切り部材は、本体内部の階段状段差と重なる横仕切り板を設け、本体容器内部の立て溝に挿入する縦板を設け、本体容器底部の凹穴に差し込む突部を設けた製氷容器。
【発明の詳細な説明】
【技術分野】
【０００１】  本発明は、家庭用冷凍冷蔵庫での製氷に用いる製氷容器に関するものである。
【背景技術】
【０００２】  従来、冷凍冷蔵庫で製氷する容器の形状として、底面積が広く高さの低い、皿状のものが一般的である。この製氷皿では、全ての格子に満遍なく水を張り、水をこぼさないよう両手で運び、冷凍庫内の水平な平面に置いて凍結させている。特許文献１には、シリコンと樹脂を反応させたシリコン反応樹脂で成形した製氷皿が知られている。
【先行技術文献】
【特許文献】
【０００３】
【特許文献１】特開平０６−３１３６５９号公報
【発明の概要】
【発明が解決しようとする課題】
【０００４】  従来の製氷皿で氷を作ろうとすると、注水時には製氷皿を両手で持ってシーソーのように傾けながら全ての格子状の仕切りに満遍なく水が入るまで溢れるように注水し続け、必要以上の水を使用し、冷凍庫内に設置する為に、あらかじめ冷凍庫の扉および引き出しを開けたまま、両手で製氷皿の水をこぼさないよう慎重にバランスをとりながら庫内まで運ぶ必要があった。そのさい、床に水がこぼれてしまうことが多かった。また、庫内に製氷皿を置く水平な平面を確保する必要があり、水と接しないように製氷皿の上部には何も収納できなかった。製氷皿に蓋を使用して上部に他の冷凍物を収納すると、一番下の製氷皿の取り出しに手間と時間がかかった。
本発明は、以上の問題点を解決するためになされたものである。
【課題を解決するための手段】
【０００５】  本体容器はシリコーン材で形成し、上部を開口して下部を塞ぎ、上部より下部を狭くし、内側側壁に階段状の複数の段差を設け、中仕きり部材を固定する縦溝を設け、底部には中仕きり部材の先端を差し込む凹穴を設ける。
本体容器に挿入する中仕きり部材は、本体内部の階段状段差と重なる横仕切り板を設け、本体容器内部の立て溝に挿入する縦板を設け、本体容器底部の凹穴に差し込む突部を設ける。
以上の構成による製氷容器。
【発明の効果】
【０００６】  本発明によれば、家庭用冷凍冷蔵庫で製氷する製氷容器の底面積を小さくすることが可能になり、冷凍庫内の設置スペースを少なくでき、必要以上の水を注水することなく給水でき、片手で持ち運びが可能である為、冷凍庫の引き出しなどを開け放しておく必要がない事から水道と電気の無駄も省く事が出来る。また、筒体の表面を容易にめくることが出来る。
【図面の簡単な説明】
【０００７】
【図１】  本発明の製氷容器の一部切欠き斜視図
【図２】  本発明の本体容器の外観を示す斜視図
【図３】  本発明の本体容器の一部切欠き斜視図
【図４】  本発明の中仕切り部材を本体容器に収納した内部を示す断面図
【図５】  本発明の中仕切り部材の外観を示す斜視図
【図６】  本発明の本体容器の底面の外観を示す斜視図
【図７】  本発明の組み立て方を示す説明図
【図８】  本発明の製氷容器への注水を示す説明図
【図９】  本発明の製氷容器の冷凍庫への設置を示す説明図
【図１０】  本発明の本体容器と氷のはく離方法を示す説明図
【図１１】  本発明の本体容器の曲折を示す説明図
【図１２】  本発明の製氷容器からの氷の取り出し方を示す説明図
【発明を実施するための形態】
【０００８】  以下、本発明の実施の形態を説明する。
（イ）自立出来る本体容器（１）はシリコーン材で形成し、上部に開口部（２）を設け、      下部（３）を塞ぎ、開口部（２）より下部（３）を狭くして氷が出来上がってから      氷と本体容器を分離させ易くする為に全体を逆テーパー状にする。
（ロ）内部側壁（４）に垂直面（５）と水平面（６）を持つ階段状の複数の段差（７）を      設け、本体容器に挿入した中仕切り部材（８）の縦仕切り板（９）を本体容器側面      にガイドする為の縦溝（１０）を設ける。
（ハ）底部には中仕切り部材の先端凸部（１１）を差し込む凹穴（１２）を設け、製氷時      に氷結すると体積が増加し下部の圧力が上昇した時に中仕切り部材を押し上げよう      とするのを固定しておく為であり、また、出来上がった氷を取り出す際には本体容      器底部取っ手（１３）と中仕切り部材の取っ手（１４）を両手で安心して持てるよ      う底部で連結させる為である。
（ニ）本体容器に挿入する中仕切り部材（８）には、挿入した際に本体容器の階段状の段      差（７）に一部が重なるような横仕切り板（１５）を設け、各段の仕切り板を連ね      る縦仕切り板（９）を設け、本体容器底部の凹穴（１２）に差し込む先端凸部（１      １）を設ける。
本発明は以上のような構造である。
【０００９】  本発明を使用するときは、本体容器（１）の内側にある水量線（１６）まで水を注ぎ、ゆっくりと縦溝に中仕切り部材（８）の縦仕切り板（９）を挿入し、本体容器底部の凹穴（１１）に中仕切り部材の先端凸部（１２）を押し入れる（図７）。あるいは、水の入っていない本体容器に中仕切り部材を先述のようにセットしてから、本体容器の外側上部と下部を両手で持ち、指で壁部を揉むように外から押して変形させ、生じた空間から水を注水する（図８）。本体容器は逆テーパー状なので、注水してから中仕切り部材を挿入しても中仕切り部材の横板の周囲に水流の逃げ道ができ、力を入れて挿入する必要はない。また、本体容器はシリコーン材であり、変形が容易なため、本体容器を外側から揉んで変形させた空間から注水することは可能である。
【００１０】  水を入れた製氷容器はそのまま立てて、一般家庭の冷凍冷蔵庫等で凍らせる（図９）。
【００１１】  製氷容器から、氷を取り出す際には、本体容器の開口部（２）をつまみ、バナナの皮をめくるように下部（３）方向へ押し下げることによって、本体容器を内側の氷と分離させることができ、これで下部まで容易にめくることが出来る。（図１０）。これは本体容器内部の階段の段差（７）と本体容器の逆テーパー状の形態によって可能になる行動である。階段状の段差（７）では、垂直面（５）と水平面（６）が交わった所の厚みが他より薄く、水平面（６）が内側に張り出している為に内側にはつかえて曲がらず、外側には楽に曲がり、本体容器全体が逆テーパー状であるために下方へ押し下げても抵抗がない（図１１）。
【００１２】  次に連結された中仕切り部材の取っ手（１４）と本体容器底部の取っ手（１３）を左右の手でつまみ、互い違いの方向に捻る事により、中仕切り部材から氷をはがし易くし、受け皿等に氷を落としていくことで容易に氷を得る事が出来る（図１２）。
【００１３】  一実施例では、四角形の氷を一層に二個作っているが、製氷容器の横巾を広げてもっと多数の氷を作ったり、キャラクターの顔等他の形状の氷を作ることも可能であり、本実施例に限定するものではない。
【符号の説明】
【００１４】１本体容器、２開口部、３下部、４内部側壁、５垂直面、６水平面、７階段状の段差
８中仕切り部材、９縦仕切り板、１０縦溝、１１凹穴、１２先端凸部、１３取っ手
１４取っ手、１５横仕切り板、１６水量線
【図１】
2016118369.tif 000003
【図２】
2016118369.tif 000004
【図３】
2016118369.tif 000005
【図４】
2016118369.tif 000006
【図５】
2016118369.tif 000007
【図６】
2016118369.tif 000008
【図７】
2016118369.tif 000009
【図８】
2016118369.tif 000010
【図９】
2016118369.tif 000011
【図１０】
2016118369.tif 000012
【図１１】
2016118369.tif 000013
【図１２】
2016118369.tif 000014